(57)【要約】【課題】複数の繰出ケースに繰出回転体の駆動力を分配伝動する分配伝動軸から繰出回転体に駆動力が伝動され、この伝動が繰出クラッチによって入り切り操作される繰出装置ユニットにおいて、分配伝動軸に連結する複数の繰出ケースにおいて、繰出ケースに対する繰出クラッチの位置が異なるなどの問題を発生し難くする。【解決手段】繰出ケース３１に回転可能に支持された入力軸５１に入力ギヤ５２が相対回転可能に支持されている。入力ギヤ５２と入力軸５１とにわたり、入力ギヤ５２に入力軸５１を連動連結する入り状態、入力ギヤ５２に対する前記入力軸５１の連動を絶つ切り状態に切換え可能な繰出クラッチ５０を装備してある。入力ギヤ５２は、分配伝動軸４７に相対回転不能に支持された複数の伝動ギヤ６０のうちの一つの伝動ギヤ６０に咬み合うように構成されている。【選択図】図６
2015208251.tif 000002
【特許請求の範囲】
【請求項１】
粉粒体をタンクから繰り出す繰出回転体が回転駆動可能に収容された繰出ケースと、
前記繰出ケースに回転可能に支持され、前記繰出回転体を駆動する駆動力を入力する入力軸と、
前記入力軸に相対回転可能に支持された入力ギヤと、
前記入力ギヤと前記入力軸とにわたって配備され、前記入力ギヤに前記入力軸を連動連結する入り状態、及び前記入力ギヤに対する前記入力軸の連動を絶つ切り状態に切換え可能な繰出クラッチとを備え、
前記入力ギヤは、前記繰出ケース、及び前記繰出ケースとは異なる別の繰出ケースに繰出回転体の駆動力を分配伝動する分配伝動軸に相対回転不能に支持された複数の伝動ギヤのうちの一つの伝動ギヤに咬み合うように構成されている繰出装置ユニット。
【請求項２】
前記繰出クラッチの操作部が前記繰出ケースに支持されている請求項１に記載の繰出装置ユニット。
【請求項３】
前記分配伝動軸は、前記伝動ギヤがそれぞれ設けられた複数の分割分配伝動軸に分割可能であり、
前記入力ギヤは、前記分割分配伝動軸の前記伝動ギヤに咬み合うように構成されている請求項１又は２に記載の繰出装置ユニット。
【請求項４】
前記繰出ケースは、この繰出ケースのみに連通する単独のタンクが装着されるように構成してある請求項１〜３のいずれか一項に記載の繰出装置ユニット。
【発明の詳細な説明】
【技術分野】
【０００１】
本発明は、粉粒体をタンクから繰り出す繰出回転体が回転駆動可能に収容された繰出ケースと、前記繰出ケースに回転可能に支持され、前記繰出回転体を駆動する駆動力を入力する入力軸とを備え、前記繰出ケース及び前記繰出ケースとは異なる別の繰出ケースに繰出回転体の駆動力を分配伝動する分配伝動軸から入力軸に伝動され、かつ、分配伝動軸から入力軸への伝動が繰出クラッチによって入り状態と切り状態とに切換えられる繰出装置ユニットに関する。
【背景技術】
【０００２】
従来、特許文献１に記載された繰出し器、及び、特許文献２に記載された繰出部があった。
特許文献１に記載された繰出し器では、繰出しロール（繰出回転体に相当）の回転支軸（入力軸に相当）と、繰出し駆動軸（分配伝動軸に相当）とにわたってギヤ列を設け、繰出し駆動軸とギヤ列との間に施肥クラッチ（繰出クラッチに相当）を介装し、繰出し駆動から回転支軸に伝動するように構成され、この伝動を施肥クラッチによって入り状態と切り状態とに切り換えるように構成されている。
特許文献２に記載された繰出部では、第１駆動伝動軸（分配伝動軸に相当）に第１駆動伝動ギヤ及び第２駆動伝動ギヤを介して連動連結される第２駆動伝動軸を設け、第２駆動伝動軸と繰出駆動軸（入力軸に相当）とにわたってユニットクラッチ（繰出クラッチに相当）を設け、第１駆動伝動軸から繰出駆動軸に伝動するように構成され、この伝動をユニットクラッチによって入り状態と切り状態とに切り換えるように構成されている。
【先行技術文献】
【特許文献】
【０００３】
【特許文献１】特開２００８−６７６０８号公報
【特許文献２】特開２０１１−６２１８４号公報
【発明の概要】
【発明が解決しようとする課題】
【０００４】
従来の場合、繰出ケースの組付けと、繰出クラッチの分配伝動軸などの伝動系への組み付けとを別々に行なわねばならず、組付け作業に手間が掛かるのみならず、分配伝動軸に連結する複数の繰出ケースにおいて、繰出ケースに対する繰出クラッチの位置が異なるなど、仕上り状態での問題や、繰出クラッチとクラッチ操作体とを連動させ難いなど、組付け作業面での問題が発生しがちである。
【０００５】
本発明の目的は、分配伝動軸から駆動力を入力するものでありながら、良好な仕上り状態に組付け作業し易い繰出装置ユニットを提供することにある。
【課題を解決するための手段】
【０００６】
本第１発明は、
粉粒体をタンクから繰り出す繰出回転体が回転駆動可能に収容された繰出ケースと、
前記繰出ケースに回転可能に支持され、前記繰出回転体を駆動する駆動力を入力する入力軸と、
前記入力軸に相対回転可能に支持された入力ギヤと、
前記入力ギヤと前記入力軸とにわたって配備され、前記入力ギヤに前記入力軸を連動連結する入り状態、及び前記入力ギヤに対する前記入力軸の連動を絶つ切り状態に切換え可能な繰出クラッチとを備え、
前記入力ギヤは、前記繰出ケース、及び前記繰出ケースとは異なる別の繰出ケースに繰出回転体の駆動力を分配伝動する分配伝動軸に相対回転不能に支持された複数の伝動ギヤのうちの一つの伝動ギヤに咬み合うように構成されている繰出装置ユニットである。
【０００７】
本第１発明の構成によると、繰出クラッチ及び入力ギヤが入力軸に支持されているので、入力ギヤが分配伝動軸の伝動ギヤに咬み合う組付け状態で繰出ケースを組み付けることにより、繰出クラッチのための特別な組付け作業をせずとも、繰出クラッチは、入り状態に操作されることによって、分配伝動軸からの駆動力を入力軸に伝達して繰出回転体を駆動し、切り状態に操作されることによって、入力軸に対する伝動を絶って繰出回転体を停止操作するよう支持された状態になる。
【０００８】
従って、本第１発明によると、分配伝動軸から繰出回転体に入力するものでありながら、繰出ケースの組付けを行なうだけで繰出クラッチを所定の支持状態にでき、能率良く組付け作業できる。そして、繰出ケースと繰出クラッチとを別々に組付けるものに比べ、繰出ケースに対する繰出クラッチの位置が繰出ケースによって変化することがあまりなく、例えば、複数の繰出クラッチを同一の操作体によって一挙に切換え操作するよう構成する場合でも、各繰出クラッチと、操作体の操作部との位置合わせが行い易くて組付け作業を行ない易い。
【０００９】
本第２発明では、前記繰出クラッチの操作部が前記繰出ケースに支持されている。
【００１０】
本第２発明によると、繰出ケースを組付けることにより、繰出クラッチを所定の支持状態にできると共に、操作部を繰出クラッチの操作を所定どおり行なうよう支持された状態にでき、繰出ケースの支持フレームなど、繰出ケースとは異なる部材に操作部を支持させるものに比べ、繰出ケースの組付け後における繰出クラッチと操作部との連動具合の調節を行なう必要がほとんどなく、能率良く組付け作業できる。
【００１１】
本第３発明では、前記分配伝動軸は、前記伝動ギヤがそれぞれ設けられた複数の分割分配伝動軸に分割可能であり、前記入力ギヤは、前記分割分配伝動軸の前記伝動ギヤに咬み合うように構成されている。
【００１２】
本第３発明によると、作業装置に装備する繰出装置ユニットの数量が異なる場合、繰出装置ユニットと等しい数量の分割分配伝動軸を準備すれば、所定数量の繰出ケースに繰出回転体の駆動力を伝達できる分配駆動軸を得ることができ、装備する繰出装置ユニットの異なる数量それぞれに対応した長さを備えた一本の分配駆動軸を準備するのに比べ、分配駆動軸を安価に準備できる。
【００１３】
本第４発明では、前記繰出ケースは、この繰出ケースのみに連通する単独のタンクが装着されるように構成してある。
【００１４】
本第４発明によると、作業装置に装備する繰出装置ユニットの数量が異なる場合でも、複数の繰出装置ユニットの繰出ケースにわたる一つのタンクを採用するの比べ、装備する繰出装置ユニットの数量が異なる毎に繰出装置ユニットの数量に対応した大きさのタンクを準備する必要がなく、タンクを安価に準備できる。
【図面の簡単な説明】
【００１５】
【図１】乗用型田植機の全体を示す側面図である。
【図２】乗用型田植機の後部を示す平面図である。
【図３】施肥装置を示す後面図である。
【図４】施肥装置を示す側面図である。
【図５】繰出装置ユニットを示す正面図である。
【図６】（ａ）は、繰出クラッチを入り状態に操作した状態の繰出クラッチ操作構造を示す平面図であり、（ｂ）は、繰出クラッチを切り状態に操作した状態の繰出クラッチ操作構造を示す平面図である。
【図７】伝動装置を示す線図である。
【図８】第１の別実施構造を備えた施肥装置を示す正面図である。
【図９】第２の別実施構造を備えた施肥装置を示す概略図である。
【発明を実施するための形態】
【００１６】
以下、本発明を実施するための形態の一例として、本発明に係る繰出装置ユニットを乗用型田植機に適用した実施形態を図面に基づいて説明する。
図１は、本発明の実施例に係る乗用型田植機の全体を示す側面図である。図２は、本発明の実施例に係る乗用型田植機の後部を示す平面図である。図１，２に示すように、本発明の実施例に係る乗用型田植機は、機体フレーム１の下部に左右一対の前車輪２，２及び左右一対の後車輪３，３が装備された走行機体を備えている。走行機体の前部には、左右一対の前車輪２，２及び左右一対の後車輪３，３を駆動するエンジン４ａを有した原動部４、及び、原動部４の両横側に位置する予備苗貯留装置５が設けられている。走行機体の後部側には、運転座席６ａ及び左右一対の前車輪２，２を操向操作するステアリングハンドル６ｂを有した運転部６が設けられている。左右一対の後車輪３，３は、機体フレーム１の後部から後方向きに上下揺動可能に延出した後輪駆動ケース７の延出端部に駆動可能に支持されている。後輪駆動ケース７の延出端側は、サスペンションスプリング８を介して機体フレーム１に支持されている。
【００１７】
機体フレーム１の後部からリンク機構９が後方に上下揺動可能に延出され、リンク機構９の延出端部に５条植え型の苗植付装置１０が支持されている。苗植付装置１０は、リンク機構９が油圧シリンダで成る昇降シリンダ９ａによって揺動操作されることにより、接地フロート１１が圃場面に接地した下降作業状態と、接地フロート１１が圃場面から高く上昇した上昇非作業状態とにわたって昇降操作される。苗植付装置１０は、エンジン４ａからの駆動力がリンク機構９の下方に位置する回転伝動軸１２を介して伝達されることによって駆動されるようになっている。走行機体の後部に、運転座席６ａの後方に位置するタンク２１を有した施肥装置２０が設けられている。
【００１８】
乗用型田植機は、苗植付装置１０を下降作業状態に下降させて走行機体を走行させることにより、苗植付装置１０によって５条植えが可能な苗植付作業を行ない、各植付条の植付苗に施肥装置２０によって粉粒状の肥料を供給する施肥作業を行なう。
【００１９】
苗植付装置１０について説明する。
図１，２に示すように、苗植付装置１０は、走行機体の機体横方向（以下、単に機体横方向と称する。）に所定間隔を空けて並ぶ三つの植付駆動ケース１３が装備された植付フレームＡを備えている。三つの植付駆動ケース１３のうちの両横外側の植付駆動ケース１３の後端部の両横側部に苗植付機構１４が駆動可能に取り付けられ、三つの植付駆動ケース１３のうちの内側の植付駆動ケース１３の後端部の横側部に苗植付機構１４が駆動可能に取付られている。植付フレームＡの前端側の上方に、五つの苗植付機構１４に苗供給する苗載台１５が設けられている。植付フレームＡの下部に、機体横方向に所定間隔を空けて並ぶ三つの接地フロート１１が取り付けられている。
【００２０】
図１，２に示すように、五つの苗植付機構１４それぞれは、植付駆動ケース１３に機体横向きの回転支軸を介して回転駆動可能に支持された回転ロータ１４ａ、及び、回転ロータ１４ａの長手方向での両端部に回転駆動可能に装着された植付アーム１４ｂを備えている。回転ロータ１４ａは、回転伝動軸１２からフィードケース１６（図１参照）に入力され、フィードケース１６から植付駆動ケース１３に伝達される駆動力によって回転支軸が回転駆動されることによって回転駆動される。各苗植付機構１４は、回転ロータ１４ａが回転駆動されることにより、一対の植付アーム１４ｂが回転ロータ１４ａの回転軸芯まわりに公転しながら、回転ロータ１４ａに対する機体横向きの回転軸芯まわりに自転し、一方の植付アーム１４ｂに取り付けてある植付爪と、他方の植付アーム１４ｂに取り付けてある植付爪とが交互に上下に回転移動し、一対の植付爪によって交互に、苗載台１５の下端部から苗を取出し、取出した苗を圃場面のうちの接地フロート１１の滑走によって整地された箇所に下降搬送して植付け、植付後に上昇して苗載台１５の下端部に戻る苗植え運動を行なう。
【００２１】
苗載台１５には、五つの苗植付機構１４に供給するマット状苗を機体横方向に並べて載置する五つの苗載置部１５ａを設けてある。苗載台１５は、苗載台１５とフィードケース１６とにわたって設けられた苗横送り駆動機構（図示せず）によって、苗植付機構１４の苗植え運動に連動させて機体横方向に往復移送され、各苗植付機構１４がマット状苗の下端部から苗取出しを行なうように、かつ、この苗取出しがマット状苗の下端部の一端側から他端側に向けて順次に行われるように、各苗載置部１５ａのマット状苗を苗植付機構１４に対して横移送する。
【００２２】
苗載台１５の各苗載置部１５ａの下端側に、マット状苗を苗植付機構１４に向けて縦送りする苗縦送りベルト１７を設けてある。各苗載置部１５ａの苗縦送りベルト１７は、苗載台１５が横移動の左右のストロークエンドに到達した際、苗載台１５とフィードケース１６とにわたって設けられた苗縦送り駆動機構（図示せず）によって設定ストロークだけ回転駆動され、マット状苗を苗植付機構１４による取出し苗のマット状苗縦方向での長さに相当する長さだけ、苗植付機構１４に向けて縦送りする。
【００２３】
施肥装置２０について説明する。
図２，３，４に示すように、施肥装置２０は、平面視で機体前後向きの左右一対の支柱フレーム２２，２２を有し、左右の支柱フレーム２２が機体フレーム１の後部から後方上方に延出されていることによって機体フレーム１に支持された施肥フレームＢを備えている。施肥フレームＢは、左右一対の支柱フレーム２２，２２を備える他、左右一対の支柱フレーム２２の延出端側に支持され、運転座席６ａの後方に位置する機体横方向に長いユニット支持フレーム２３を備えている。
【００２４】
左右一対の支柱フレーム２２それぞれの延出端部２２ａの側面視での形状を、後述する機体横向きの回転伝動軸４５の下方及び後方を通って回転伝動軸４５を迂回する湾曲形状にしてある。左右一対の支柱フレーム２２にわたって機体横向きの補強フレーム２４を連結してある。補強フレーム２４の左右の支柱フレーム２２それぞれに対する連結は、支柱フレーム２２のうちの機体フレーム１に対する連結部とユニット支持フレーム２３に対する連結部との間に位置する部位に連結している。詳述すると、支柱フレーム２２は、機体フレーム１から後方に水平又はほぼ水平に延出する基部と、この基部に対して機体後方上方にユニット支持フレーム２３に向かって立ち上がる延出側傾斜部とを備えている。補強フレーム２４は、延出側傾斜部のうちの基部に近い部位に連結している。
【００２５】
施肥装置２０は、機体横方向に所定間隔を空けて一列に並んでユニット支持フレーム２３に支持された三つの繰出装置ユニット３０、及び、三つの繰出装置ユニット３０それぞれの繰出ケース３１に送風ダクト２６を介して接続された送風装置としての電動ブロワ２７を備えている。各繰出装置ユニット３０の繰出ケース３１の上端側に、三つの繰出装置ユニット３０の上方にわたって位置する機体横方向に長い一つのタンク２１を装着してある。タンク２１は、タンク内が三つの繰出ケース３１の内部に連通するよう形成され、三つの繰出装置ユニット３０に共用のタンクになっている。
【００２６】
三つの繰出装置ユニット３０それぞれは、ユニット支持フレーム２３に上端側が支持された繰出ケース３１、繰出ケース３１に駆動回転可能に収容された繰出回転体３２、繰出回転体３２に対する伝動を入り状態と切り状態とに切換え操作する繰出クラッチ５０を備えている。三つの繰出装置ユニット３０それぞれの繰出回転体３２は、繰出クラッチ５０が入り状態に操作されることにより、走行機体の横側部に設けられた動力取出部４１（図１参照）から後述する伝動装置４０によって伝達される駆動力によって回転駆動され、繰出回転体３２の周面に回転方向に所定間隔を空けて設けてある繰出凹部（図示せず）によってタンク２１から粉粒状の肥料を設定量ずつ間欠的に繰り出し、繰出した肥料を、繰出ケース３１の下部に設けてある左右一対の粉粒体吐出筒部３４，３４に供給するように構成してある。
【００２７】
三つの繰出装置ユニット３０のうちの両横外側の繰出装置ユニット３０においては、左右一対の粉粒体吐出筒部３４，３４が五つ苗植付機構１４のうちの機体横外側の二つの苗植付機構１４の横側部に振り分け配備された一対の作溝施肥器３５，３５に一対の施肥ホース３６，３６を介して各別に接続されている。
【００２８】
三つの繰出装置ユニット３０のうちの内側の繰出装置ユニット３０においては、左右一対の粉粒体吐出筒部３４，３４のうちの一方の粉粒体吐出筒部３４がキャップ３７によって閉塞され、左右一対の粉粒体吐出筒部３４，３４のうちの他方の粉粒体吐出筒部３４が五つ苗植付機構１４のうちの内側の一つの苗植付機構１４の横側部に配備された一つの作溝施肥器３５に施肥ホース３６を介して接続されている。
【００２９】
各作溝施肥器３５は、苗植付機構１４の横側近くで圃場面に溝に形成し、形成した溝に施肥ホース３６からの肥料を落下させて供給するように構成してある。
【００３０】
従って、施肥装置２０は、三つの繰出装置ユニット３０それぞれの繰出クラッチ５０が入り状態に操作されることにより、三つの繰出装置ユニット３０それぞれによってタンク２１から肥料を設定量ずつ間欠的に繰出す。
【００３１】
施肥装置２０は、三つの繰出装置ユニット３０のうちの機体左横外側の繰出装置ユニット３０によって繰出した肥料を、電動ブロワ２７から送風ダクト２６を介して供給される搬送風によって左右一対の粉粒体吐出筒部３４，３４から一対の施肥ホース３６，３６に吐出し、五つの苗植付機構１４のうちの機体左横外側の二つの苗植付機構１４の横側部に振り分けて配備された一対の作溝施肥器３５に供給し、機体左外側の２条の植付条の植付苗に対する肥料供給を行なう。
【００３２】
施肥装置２０は、三つの繰出装置ユニット３０のうちの機体右横外側の繰出装置ユニット３０によって繰出した肥料を、電動ブロワ２７から送風ダクト２６を介して供給される搬送風によって左右一対の粉粒体吐出筒部３４，３４から一対の施肥ホース３６，３６に吐出し、五つの苗植付機構１４のうちの機体右横外側の二つの苗植付機構１４の横側部に振り分けて配備された一対の作溝施肥器３５に供給し、機体右外側の２条の植付条の植付苗に対する肥料供給を行なう。
【００３３】
施肥装置２０は、三つの繰出装置ユニット３０のうちの内側の繰出装置ユニット３０によって繰出した肥料を、電動ブロワ２７から送風ダクト２６を介して供給される搬送風によって一つの粉粒体吐出筒部３４から施肥ホース３６に吐出し、五つの苗植付機構１４のうちの内側の一つの苗植付機構１４の横側部に配備された作溝施肥器３５に供給し、内側の１条の植付条の植付苗に対する肥料供給を行なう。
【００３４】
各繰出装置ユニット３０の繰出回転体３２を駆動する伝動装置４０について説明する。
図１に示すように、走行機体の横側部に設けられた動力取出部４１に、機体横向き軸芯まわりに回転駆動されるクランクアーム４２を設けてある。図５，６に示すように、各繰出装置ユニット３０に、繰出ケース３１の横外側に配備した入力部３８を備えてある。
【００３５】
図７は、各繰出装置ユニット３０の繰出回転体３１を駆動する伝動装置４０を示す線図である。図１，３，４，６，７に示すように、伝動装置４０は、クランクアーム４２の駆動力を、クランクアーム４２に下端側が連動連結された連動ロッド４３、連動ロッド４３の上端側に連結された揺動アーム４４を介して機体横向きの回転伝動軸４５に伝達し、回転伝動軸４５の駆動力を、繰出量調節機構４６を介して機体横向きの分配伝動軸４７に伝達し、分配伝動軸４７から各繰出装置ユニット３０の入力部３８に入力するように構成してある。
【００３６】
繰出量調節機構４６は、回転伝動軸４５の往復回転の駆動力を一方向回転の駆動力に変換し、変換した駆動力によって分配伝動軸４７を一方向に回転駆動するように構成してある。繰出量調節機構４６は、調節機構部のケースよりも機体前方側に位置する調節ハンド４６ａ（図２参照）が回転操作されることにより、回転伝動軸４５の往復回転に対する分配伝動軸４７の回転角を変更し、回転伝動軸４５の往復回転に対する繰出回転体３２の駆動回転角を変更することにより、繰出回転体３２の設定駆動時間当たりの繰出量を変更するものである。回転伝動軸４５は、繰出量調節機構４６、及び、繰出量調節機構４６に対して連動ロッド４３が位置する側に離れた箇所でユニット支持フレーム２３に支持された支持部材４８（図３，６，７参照）に回転可能に支持されている。分配伝動軸４７は、繰出量調節機構４６、及び、各繰出ケース３１に設けられた支持部３１ａ（図３，７参照）に相対回転可能に支持されている。
【００３７】
図５，６，７に示すように、三つの繰出装置ユニット３０それぞれの入力部３８は、繰出ケース３１に回転可能に支持され、繰出ケース３１の内部で繰出回転体３２を相対回転不能に支持する回転支軸で成る機体横向きの入力軸５１と、入力軸５１に相対回転可能に支持された入力ギヤ５２と、入力ギヤ５２と入力軸５１とにわたって設けられた繰出クラッチ５０とを備えている。
【００３８】
繰出クラッチ５０は、入力軸５１に一体回転可能にかつスライド可能に支持されたクラッチ体５０ａと、クラッチ体５０ａの一端部に設けられたクラッチ爪の係合及び離脱を可能に構成して入力ギヤ５２の側部に設けられたクラッチ爪とを備え、咬み合いクラッチに構成されている。
【００３９】
図４，６に示すように、繰出クラッチ５０は、支持部５３に支持ピン５４を介して支持された操作部５５を備え、操作部５５が支持ピン５４の機体上向きの軸芯を揺動支点にして揺動操作されることにより、入力軸５１を入力ギヤ５２に一体回転可能の連動連結する入り状態と、入力ギヤ５２に対する入力軸５１の連動連結を絶つ切り状態とに切り換わるように構成してある。
【００４０】
すなわち、操作部５５が入り側に揺動操作されると、クラッチ体５０ａが入り付勢バネ５６の操作力によって入力ギヤ５２に向けてスライド操作され、クラッチ体５０ａのクラッチ爪と入力ギヤ５２のクラッチ爪とが咬み合う。操作部５５が切り側に揺動操作されると、クラッチ体５０ａの操作溝部に係入するように構成して操作部５５に備えてある操作ピン５５ａ（図４参照）の操作力により、クラッチ体５０ａが入り付勢バネ５６に抗して入力ギヤ５２から離れる側にスライド操作され、クラッチ体５０ａのクラッチ爪と入力ギヤ５２のクラッチ爪との咬み合いが外れる。
【００４１】
操作部５５を揺動操作可能に支持する支持部５３は、繰出ケース３１に備えられている。従って、操作部５５は、繰出ケース３１に支持され、繰出ケース３１がユニット支持フレーム２３に組み付けられることにより、繰出クラッチ５０と共に所定の組付け状態になる。
【００４２】
操作部５５を揺動操作可能に支持する支持部５３は、ユニット支持フレーム２３に連結ボルトによって連結されることによって繰出ケース３１をユニット支持フレーム２３に取付ける取付部材５７によって構成されている。
【００４３】
入力ギヤ５２は、分配伝動軸４７に相対回転不能に支持された三つの伝動ギヤ６０のうちの一つの伝動ギヤ６０に咬み合うように構成してある。
【００４４】
すなわち、三つの繰出装置ユニット３０それぞれにあっては、入力ギヤ５２が伝動ギヤ６０に咬み合うようにして繰出ケース３１をユニット支持フレーム２３に支持させることにより、繰出クラッチ５０及び繰出クラッチ５０の操作部５５の組付けを一挙にできる。
【００４５】
そして、三つの繰出装置ユニット３０それぞれは、繰出クラッチ５０が入り状態に切り換えられることにより、分配伝動軸４７の伝動ギヤ６０から入力ギヤ５２に入力した駆動力が繰出クラッチ５０によって入力軸５１に伝達されて入力軸５１が駆動されることにより、繰出回転体３２を回転駆動する。
【００４６】
三つの繰出装置ユニット３０それぞれは、繰出クラッチ５０が切り状態に切換えられることにより、入力軸５１の入力ギヤ５２に対する連動連結が絶たれて入力軸５１が停止することにより、繰出回転体３２を停止させる。
【００４７】
三つの繰出クラッチ５０は、三つの操作部５５に操作ケーブル（図示せず）を介して各別に連動連結され、運転座席６ａの両横側に振り分けて配備された三つの端数条クラッチレバー６１(図２参照)によって各別に切換え操作できるように構成してある。
【００４８】
三つの繰出クラッチ５０は、ユニット支持フレーム２３の横端部に配備された全条クラッチレバー６２（図６参照）によって纏めて切換え操作できるように構成されている。
【００４９】
すなわち、図６に示すように、三つの操作部５５に各別に作用する三つの操作突部６３ａを備えた機体横方向に長い帯板状の操作体６３がユニット支持フレーム２３に機体横方向にスライド可能に支持されている。各操作突部６３ａは、操作体６３の本体に対して立ち上がるように折り曲げられた操作体６３の一部分によって構成してある。操作体６３をユニット支持フレーム２３にスライド可能に支持する支持構造として、操作体６３の複数個所に設けた機体横方向に長い取付孔６４、及び、各取付孔６４に相対移動可能に係入した状態でユニット支持フレーム２３に設けられた支持ピン６５を備えた支持構造を採用してある。
【００５０】
全条クラッチレバー６２は、全条クラッチレバー６２の基部に設けられた支軸部を介してユニット支持フレーム２３に揺動可能に支持されている。操作体６３と全条クラッチレバー６２とは、全条クラッチレバー６２の支軸部に相対回転不能に支持された揺動リンク６６、及び揺動リンク６６と操作体６３とを連動連結する屈曲連動杆６７を介して連動連結されている。
【００５１】
図６（ａ）に示すように、全条クラッチレバー６２を支軸部の機体上下向きの軸芯を揺動支点にして揺動操作して入り位置Ｐ１に操作すると、屈曲連動杆６７が揺動リンク６６によってガイド溝６８に沿って移動操作され、操作体６３が屈曲連動杆６７による押し操作によって機体左側にスライド操作され、各操作突部６３ａが操作部５５に対する押圧操作を解除し、クラッチ体５０ａを入り付勢バネ５６によって入力ギヤ５２に係合させる。
【００５２】
図６（ｂ）に示すように、全条クラッチレバー６２を切り位置Ｐ２に操作すると、屈曲連動杆６７が揺動リンク６６によってガイド溝６８に沿って移動操作され、操作体６３が屈曲連動杆６７による引き操作によって機体右側にスラド操作され、各操作突部６３ａが操作部５５を入り付勢バネ５６に抗して揺動操作し、クラッチ体５０ａを入力ギヤ５２から離脱させる。
【００５３】
〔別実施例〕
（１）  図８は、第１の別実施構造を備えた施肥装置２０を示す正面図である。図８に示すように、別の実施構造を備えた施肥装置２０では、三つの繰出装置ユニット３０それぞれの繰出ケース３１のみに連通するよう構成して三つの繰出ケース３１に各別に装着された三つのタンク２１を備えている。
【００５４】
（２）  図９は、第２の別実施構造を備えた施肥装置２０を示す概略図である。図９に示すように、第２の別実施構造を備えた施肥装置２０では、分配伝動軸４７は、伝動ギヤ６０が一つずつ設けられた三つの分割分配伝動軸４７ａ、隣り合う分割分配伝動軸４７ａどうしを一体回転可能に連結するジョイント４７ｂ、及び、分割分配伝動軸４７ａと繰出量調節機構４６の出力軸４６ｂとを連結するジョイント４７ｃを備え、ジョイント４７ｂの部位で三つの分割分配伝動軸４７ａに分割できるようになっている。三つの分割分配伝動軸４７ａそれぞれは、対応する繰出装置ユニット３０の繰出ケース３１に設けられた支持部３１ａに相対回転可能に支持され、繰出ケース３１がユニット支持フレーム２３に組み付けられることにより、分配伝動軸４７の組付けも一挙にできるように構成してある。
【００５５】
（３）  上記した実施例では、ユニット支持フレーム２８を一つの構造体に構成した例を示したが、三つの繰出装置ユニット３０が各別に取り付けられた三つ分割ユニット支持フレームに分割可能に構成し、分割ユニット支持フレームを連結してユニット支持フレームの組み立てを行なうことにより、三つの繰出装置ユニット３０の組付けも一挙にできるように構成して実施してもよい。
【００５６】
（４）  上記した実施例では、三つ繰出装置ユニット３０を備えた例を示したが、二つあるいは四つ以上の繰出装置ユニットを備えて実施してもよい。
【産業上の利用可能性】
【００５７】
本発明は、施肥用の繰出装置ユニットの他、播種用及び施薬用の繰出装置ユニットに利用可能である。
【符号の説明】
【００５８】
２１        タンク
３１        繰出ケース
３２        繰出回転体
４７        分配伝動軸
４７ａ      分割分配伝動軸
５０        繰出クラッチ
５１        入力軸
５２        入力ギヤ
５５        操作部
６０        伝動ギヤ
【図１】
2015208251.tif 000003
【図２】
2015208251.tif 000004
【図３】
2015208251.tif 000005
【図４】
2015208251.tif 000006
【図５】
2015208251.tif 000007
【図６】
2015208251.tif 000008
【図７】
2015208251.tif 000009
【図８】
2015208251.tif 000010
【図９】
2015208251.tif 000011